(57)【特許請求の範囲】
【請求項１】
広告媒体の広告効果を測定する広告効果測定端末と、商品又はサービスに関する特典情報を発行する特典情報発行端末と、ユーザの利用に供するユーザ端末と、前記商品又は前記サービスを提供する店舗の利用に供する店舗端末とを通信可能に接続し、所定の場所に設置された前記広告媒体の広告効果を測定する広告効果測定システムであって、
前記ユーザ端末は、当該広告媒体の設置位置に関する位置情報及び前記広告効果測定端末へのアクセス情報を含む特典誘導情報が付された前記広告媒体から当該特典誘導情報を取得する特典誘導情報取得手段と、
前記特典誘導情報取得手段で取得した特典誘導情報に含まれる前記アクセス情報に基づいて、当該特典誘導情報に含まれる前記位置情報を前記広告効果測定端末に送信する位置情報送信手段と、
前記特典情報発行端末から前記特典情報を受信する特典情報受信手段とを備え、
前記店舗端末は、前記ユーザ端末が前記特典情報受信手段で受信した特典情報を取得する特典情報取得手段と、
前記特典情報取得手段で取得した特典情報に基づいて、前記商品又は前記サービスを購入したことを示す購入情報を前記広告効果測定端末に送信する購入情報送信手段とを備え、
前記広告効果測定端末は、記憶手段と、
前記ユーザ端末から前記位置情報を受信する位置情報受信手段と、
前記位置情報受信手段で受信した位置情報を前記記憶手段に登録する位置情報登録手段と、
前記位置情報を送信したユーザ端末を前記特典情報発行端末に誘導するユーザ端末誘導手段と、
前記店舗端末から前記購入情報を受信する購入情報受信手段と、
前記購入情報受信手段で受信した購入情報を、当該購入情報に係る前記ユーザ端末が送信した位置情報と対応づけて前記記憶手段に登録する購入情報登録手段とを備え、
前記特典情報発行端末は、前記ユーザ端末誘導手段で誘導されたユーザ端末が送信した位置情報に対応する前記特典情報を当該ユーザ端末に送信する特典情報送信手段を備えることを特徴とする広告効果測定システム。
【請求項２】
請求項１において、
前記特典情報発行端末は、さらに、前記位置情報ごとに、当該位置情報に対応する前記特典情報を提供するための特典情報提供ページを生成する特典情報提供ページ生成手段を備え、
前記ユーザ端末誘導手段は、前記位置情報を送信したユーザ端末を、当該位置情報に対応する前記特典情報提供ページに誘導し、
前記特典情報送信手段は、前記特典情報提供ページにアクセスした前記ユーザ端末に対し、前記位置情報に対応する前記特典情報を送信することを特徴とする広告効果測定システム。
【請求項３】
請求項１及び２のいずれか１項において、
前記広告効果測定端末は、さらに、所定エリアに設置されている複数の前記広告媒体について、当該広告媒体ごとに、前記ユーザ端末が前記広告効果測定端末にアクセスした回数を集計するアクセス回数集計手段を備えることを特徴とする広告効果測定システム。
【請求項４】
請求項１乃至３のいずれか１項において、
前記広告効果測定端末は、さらに、前記ユーザ端末が送信した前記位置情報と、当該ユーザ端末が送信した他の前記位置情報を前記記憶手段から検索する位置情報検索手段と、
前記位置情報検索手段で索出した位置情報に基づいて、同一のユーザが参照した前記広告媒体の位置関係を分析する位置関係分析手段とを備えることを特徴とする広告効果測定システム。
【請求項５】
請求項４において、
前記広告効果測定端末は、さらに、前記広告媒体の広告内容に関する広告内容情報、及び、当該広告媒体の設置位置に関する位置情報を対応づけて記憶する第２記憶手段と、
前記位置情報検索手段で索出した位置情報、及び、当該位置情報に対応する前記第２記憶手段の広告内容情報に基づいて、前記ユーザが一の位置で参照した前記広告媒体の広告内容と、当該ユーザが他の位置で参照した前記広告媒体の広告内容との関係を分析する広告内容関係分析手段とを備えることを特徴とする広告効果測定システム。
【請求項６】
請求項１乃至５のいずれか１項に記載の広告効果測定システムにおける前記広告効果測定端末。
【請求項７】
請求項１乃至５のいずれか１項に記載の広告効果測定システムにおける前記広告効果測定端末に適用される広告効果測定端末用プログラムであって、
前記ユーザ端末から前記位置情報を受信する位置情報受信ステップと、
前記位置情報受信ステップで受信した位置情報を前記記憶手段に登録する位置情報登録ステップと、
前記位置情報を送信したユーザ端末を前記特典情報発行端末に誘導するユーザ端末誘導ステップと、
前記店舗端末から前記購入情報を受信する購入情報受信ステップと、
前記購入情報受信ステップで受信した購入情報を、当該購入情報に係る前記ユーザ端末が送信した位置情報と対応づけて前記記憶手段に登録する購入情報登録ステップとを含む処理をコンピュータに実行させるためのプログラムであることを特徴とする広告効果測定端末用プログラム。
【請求項８】
広告媒体の広告効果を測定する広告効果測定端末と、商品又はサービスに関する特典情報を発行する特典情報発行端末と、ユーザの利用に供するユーザ端末と、前記商品又は前記サービスを提供する店舗の利用に供する店舗端末とを通信可能に接続し、所定の場所に設置された前記広告媒体の広告効果を測定する広告効果測定方法であって、
前記ユーザ端末に対しては、
当該広告媒体の設置位置に関する位置情報及び前記広告効果測定端末へのアクセス情報を含む特典誘導情報が付された前記広告媒体から当該特典誘導情報を取得する特典誘導情報取得ステップと、
前記特典誘導情報取得ステップで取得した特典誘導情報に含まれる前記アクセス情報に基づいて、当該特典誘導情報に含まれる前記位置情報を前記広告効果測定端末に送信する位置情報送信ステップとを含み、
前記広告効果測定端末に対しては、
前記ユーザ端末から前記位置情報を受信する位置情報受信ステップと、
前記位置情報受信ステップで受信した位置情報を、前記広告効果測定端末が備える記憶手段に登録する位置情報登録ステップと、
前記位置情報を送信したユーザ端末を前記特典情報発行端末に誘導するユーザ端末誘導ステップとを含み、
前記特典情報発行端末に対しては、
前記ユーザ端末誘導ステップで誘導されたユーザ端末が送信した位置情報に対応する前記特典情報を当該ユーザ端末に送信する特典情報送信ステップを含み、
前記ユーザ端末に対しては、さらに、
前記特典情報発行端末から前記特典情報を受信する特典情報受信ステップを含み、
前記店舗端末に対しては、
前記ユーザ端末が前記特典情報受信ステップで受信した特典情報を取得する特典情報取得ステップと、
前記特典情報取得ステップで取得した特典情報に基づいて、前記商品又は前記サービスを購入したことを示す購入情報を前記広告効果測定端末に送信する購入情報送信ステップとを含み、
前記広告効果測定端末に対しては、さらに、
前記店舗端末から前記購入情報を受信する購入情報受信ステップと、
前記購入情報受信ステップで受信した購入情報を、当該購入情報に係る前記ユーザ端末が送信した位置情報と対応づけて前記記憶手段に登録する購入情報登録ステップとを含むことを特徴とする広告効果測定方法。
【発明の詳細な説明】
【技術分野】
【０００１】
本発明は、所定の場所に設置された広告媒体の広告効果を測定するシステム、端末及びプログラム並びに方法に係り、特に、購買意欲の低いユーザや、潜在ニーズを持つユーザを対象とする広告媒体の広告効果を測定するのに好適な広告効果測定システム、広告効果測定端末及び広告効果測定端末用プログラム、並びに、広告効果測定方法に関する。
【背景技術】
【０００２】
従来から屋外広告・交通広告（以下、「ＯＯＨ（out of home）」という。）は、費用対効果の測定が困難とされてきた。一方でスマートフォンの出現により人々の行動パターンに変化が生じ、移動時間にスマートフォンを通して購入の意思決定をする割合が拡大しており、ＯＯＨが重要な役割を果たすと期待されている。また、デジタルサイネージに代表される双方向性の高い技術の出現で、ＯＯＨにおける費用対効果の測定実施に向けた期待も高まっている。しかし、デジタルサイネージはまだ設置費用も高額で一部での実証実験の域に留まっているのが現状である。また、ｉＢｅａｃｏｎやＮＦＣ（Near Field Communication）、スポットＷｉ−Ｆｉ（Wireless Fidelity）などの活用にはデバイスが普及するのを待つ必要がある。
【０００３】
従来、ＯＯＨの広告効果を測定する技術としては、例えば、特許文献１記載の技術が広く知られている。
【０００４】
特許文献１記載の技術は、ポスターに掲載された二次元コードが携帯端末にて読み取られた場合に、情報収集解析サーバにおいて、携帯端末にて読み取られた二次元コードを用いて所定の要求が受け付けられるとともに二次元コードに含まれるポスターを識別可能な第１の識別情報と携帯端末の位置情報と受け付けられた要求の数とに基づいてポスターの設置場所の有効性を解析するものである。
【先行技術文献】
【特許文献】
【０００５】
【特許文献１】特開２００４−７８５７３号公報
【発明の概要】
【発明が解決しようとする課題】
【０００６】
しかしながら、特許文献１記載の技術にあっては、カタログを請求する要求として、ＩＤ及びパスワードの事前登録及び入力という操作を行わなければならず（同文献〔００２９〕〔００３１〕）、商品の購買意欲がさほど高くないユーザは、当該操作の面倒さ及び個人情報の提供を嫌がって当該操作を行わずにカタログ提供サイトから離脱してしまうので、これら操作の手間を惜しまずに商品の購入を希望する相当に高い購買意欲を持つユーザしか有効性解析の対象とすることができない。
【０００７】
また、特許文献１記載の技術にあっては、ユーザに対し、カタログや商品を請求するという行動を要求する構成となっているが、購入したい具体的な商品を明確に持っていないユーザや、漠然としたニーズしか持っていないユーザ（以下、「潜在ニーズを持つユーザ」という。）に対し、カタログや商品を請求するという行動を起こさせることは難しい。したがって、潜在ニーズを持つユーザを対象とする広告媒体の有効性を解析することは困難であるという問題があった。
【０００８】
そこで、本発明は、このような従来の技術の有する未解決の課題に着目してなされたものであって、購買意欲の低いユーザや、潜在ニーズを持つユーザを対象とする広告媒体の広告効果を測定するのに好適な広告効果測定システム、広告効果測定端末及び広告効果測定端末用プログラム、並びに、広告効果測定方法を提供することを目的としている。
【課題を解決するための手段】
【０００９】
〔発明１〕  上記目的を達成するために、発明１の広告効果測定システムは、広告媒体の広告効果を測定する広告効果測定端末と、商品又はサービスに関する特典情報を発行する特典情報発行端末と、ユーザの利用に供するユーザ端末と、前記商品又は前記サービスを提供する店舗の利用に供する店舗端末とを通信可能に接続し、所定の場所に設置された前記広告媒体の広告効果を測定する広告効果測定システムであって、前記ユーザ端末は、当該広告媒体の設置位置に関する位置情報及び前記広告効果測定端末へのアクセス情報を含む特典誘導情報が付された前記広告媒体から当該特典誘導情報を取得する特典誘導情報取得手段と、前記特典誘導情報取得手段で取得した特典誘導情報に含まれる前記アクセス情報に基づいて、当該特典誘導情報に含まれる前記位置情報を前記広告効果測定端末に送信する位置情報送信手段と、前記特典情報発行端末から前記特典情報を受信する特典情報受信手段とを備え、前記店舗端末は、前記ユーザ端末が前記特典情報受信手段で受信した特典情報を取得する特典情報取得手段と、前記特典情報取得手段で取得した特典情報に基づいて、前記商品又は前記サービスを購入したことを示す購入情報を前記広告効果測定端末に送信する購入情報送信手段とを備え、前記広告効果測定端末は、記憶手段と、前記ユーザ端末から前記位置情報を受信する位置情報受信手段と、前記位置情報受信手段で受信した位置情報を前記記憶手段に登録する位置情報登録手段と、前記位置情報を送信したユーザ端末を前記特典情報発行端末に誘導するユーザ端末誘導手段と、前記店舗端末から前記購入情報を受信する購入情報受信手段と、前記購入情報受信手段で受信した購入情報を、当該購入情報に係る前記ユーザ端末が送信した位置情報と対応づけて前記記憶手段に登録する購入情報登録手段とを備え、前記特典情報発行端末は、前記ユーザ端末誘導手段で誘導されたユーザ端末が送信した位置情報に対応する前記特典情報を当該ユーザ端末に送信する特典情報送信手段を備える。
【００１０】
このような構成であれば、ユーザ端末では、特典誘導情報取得手段により広告媒体から特典誘導情報が取得されると、位置情報送信手段により、取得された特典誘導情報に含まれるアクセス情報に基づいて、その特典誘導情報に含まれる位置情報が広告効果測定端末に送信される。
【００１１】
広告効果測定端末では、位置情報受信手段により位置情報を受信すると、位置情報登録手段により、受信した位置情報が記憶手段に登録される。そして、ユーザ端末誘導手段により、位置情報を送信したユーザ端末が特典情報発行端末に誘導される。
【００１２】
特典情報発行端末では、特典情報送信手段により、誘導されたユーザ端末が送信した位置情報に対応する特典情報がそのユーザ端末に送信される。
【００１３】
ユーザ端末では、特典情報受信手段により特典情報を受信すると、受信した特典情報を商品又はサービスの購入に利用することができる。
【００１４】
店舗端末では、特典情報取得手段により、ユーザ端末が受信した特典情報が取得されると、購入情報送信手段により、取得された特典情報に基づいて、商品又はサービスを購入したことを示す購入情報が広告効果測定端末に送信される。
【００１５】
広告効果測定端末では、購入情報受信手段により購入情報を受信すると、購入情報登録手段により、受信した購入情報が、その購入情報に係るユーザ端末が送信した位置情報と対応づけられて記憶手段に登録される。この結果、記憶手段において購入情報と位置情報の対応関係を参照すれば、どの設置位置の広告媒体がどの程度の購入につながったかという広告媒体の広告効果を把握することができる。
【００１６】
ここで、広告媒体は、商品、サービス又は店舗等の広告を表示するものを含む。
また、特典情報とは、商品又はサービスに関する特典を得るための情報をいい、例えば、クーポン情報（例えば、割引クーポン券、無料クーポン券）、又はクーポン情報へのリンク情報が含まれる。
【００１７】
また、特典誘導情報取得手段は、例えば、入力装置等から特典誘導情報を入力してもよいし、外部の端末等から特典誘導情報を獲得又は受信してもよいし、記憶装置や記憶媒体等から特典誘導情報を読み出してもよいし、情報処理等により特典誘導情報を生成し又は算出してもよい。したがって、取得には、少なくとも入力、獲得、受信、読出（検索を含む。）、生成及び算出が含まれる。以下、取得の概念については同じである。
【００１８】
また、記憶手段において、購入情報及び位置情報を対応づけて記憶することとしては、例えば、（１）購入情報及び位置情報を同一のレコードに登録するなど、直接対応づけて記憶すること、（２）購入情報及び中間情報を対応づけて登録するテーブルと、位置情報及び中間情報を対応づけて登録するテーブルを設けるなど、中間に１又は複数の情報を介して記憶することが含まれる。すなわち、購入情報から位置情報を辿ることができる態様であれば、あらゆるデータ構造を採用することができる。以下、情報を対応づけて記憶する概念については同じである。
【００１９】
また、記憶手段は、購入情報又は位置情報をあらゆる手段で且つあらゆる時期に記憶するものであり、購入情報又は位置情報を予め記憶してあるものであってもよいし、購入情報又は位置情報を予め記憶することなく、本システムの動作時に外部からの入力等によって購入情報又は位置情報を記憶するようになっていてもよい。
【００２０】
また、位置情報送信手段は、位置情報を直接又は間接的に広告効果測定端末に送信するようになっていればよく、間接的に送信する場合としては、例えば、サーバその他の装置・端末を介して位置情報を広告効果測定端末に送信することが含まれる。すなわち、位置情報の送信は、広告効果測定端末及び１又は複数の端末等の協働により行うことも可能である。特典情報送信手段及び購入情報送信手段についても同様である。
【００２１】
〔発明２〕  さらに、発明２の広告効果測定システムは、発明１の広告効果測定システムにおいて、前記特典情報発行端末は、さらに、前記位置情報ごとに、当該位置情報に対応する前記特典情報を提供するための特典情報提供ページを生成する特典情報提供ページ生成手段を備え、前記ユーザ端末誘導手段は、前記位置情報を送信したユーザ端末を、当該位置情報に対応する前記特典情報提供ページに誘導し、前記特典情報送信手段は、前記特典情報提供ページにアクセスした前記ユーザ端末に対し、前記位置情報に対応する前記特典情報を送信する。
【００２２】
このような構成であれば、特典情報発行端末では、特典情報提供ページ生成手段により、位置情報ごとに特典情報提供ページが生成される。
【００２３】
広告効果測定端末では、ユーザ端末誘導手段により、位置情報を送信したユーザ端末が、その位置情報に対応する特典情報提供ページに誘導される。
【００２４】
特典情報発行端末では、特典情報送信手段により、特典情報提供ページにアクセスしたユーザ端末に対し、位置情報に対応する特典情報が送信される。
【００２５】
〔発明３〕  さらに、発明３の広告効果測定システムは、発明１及び２のいずれか１の広告効果測定システムにおいて、前記広告効果測定端末は、さらに、所定エリアに設置されている複数の前記広告媒体について、当該広告媒体ごとに、前記ユーザ端末が前記広告効果測定端末にアクセスした回数を集計するアクセス回数集計手段を備える。
【００２６】
このような構成であれば、広告効果測定端末では、アクセス回数集計手段により、所定エリアに設置されている複数の広告媒体について、その広告媒体ごとに、ユーザ端末が広告効果測定端末にアクセスした回数が集計される。
【００２７】
〔発明４〕  さらに、発明４の広告効果測定システムは、発明１乃至３のいずれか１の広告効果測定システムにおいて、前記広告効果測定端末は、さらに、前記ユーザ端末が送信した前記位置情報と、当該ユーザ端末が送信した他の前記位置情報を前記記憶手段から検索する位置情報検索手段と、前記位置情報検索手段で索出した位置情報に基づいて、同一のユーザが参照した前記広告媒体の位置関係を分析する位置関係分析手段とを備える。
【００２８】
このような構成であれば、広告効果測定端末は、位置情報検索手段により、ユーザ端末が送信した位置情報と、ユーザ端末が送信した他の位置情報が記憶手段から検索され、位置関係分析手段により、索出された位置情報に基づいて、同一のユーザが参照した広告媒体の位置関係が分析される。
【００２９】
ここで、ユーザ端末が送信した位置情報は、例えば、ユーザ端末を識別するための端末識別情報（例えば、アドレス情報）を取得し、取得した端末識別情報と位置情報を対応づけて記憶手段等に登録しておくことにより特定することができる。ユーザ端末が送信した他の位置情報についても同様である。
【００３０】
〔発明５〕  さらに、発明５の広告効果測定システムは、発明４の広告効果測定システムにおいて、前記広告効果測定端末は、さらに、前記広告媒体の広告内容に関する広告内容情報、及び、当該広告媒体の設置位置に関する位置情報を対応づけて記憶する第２記憶手段と、前記位置情報検索手段で索出した位置情報、及び、当該位置情報に対応する前記第２記憶手段の広告内容情報に基づいて、前記ユーザが一の位置で参照した前記広告媒体の広告内容と、当該ユーザが他の位置で参照した前記広告媒体の広告内容との関係を分析する広告内容関係分析手段とを備える。
【００３１】
このような構成であれば、広告効果測定端末では、広告内容関係分析手段により、索出された位置情報、及び、その位置情報に対応する第２記憶手段の広告内容情報に基づいて、ユーザが一の位置で参照した広告媒体の広告内容と、そのユーザが他の位置で参照した広告媒体の広告内容との関係が分析される。
【００３２】
〔発明６〕  一方、上記目的を達成するために、発明６の広告効果測定端末は、発明１乃至５のいずれか１に記載の広告効果測定システムにおける前記広告効果測定端末である。
【００３３】
このような構成であれば、発明１乃至５の広告効果測定システムにおける広告効果測定端末と同等の作用が得られる。
【００３４】
〔発明７〕  一方、上記目的を達成するために、発明７の広告効果測定端末用プログラムは、発明１乃至５のいずれか１に記載の広告効果測定システムにおける前記広告効果測定端末に適用される広告効果測定端末用プログラムであって、前記ユーザ端末から前記位置情報を受信する位置情報受信ステップと、前記位置情報受信ステップで受信した位置情報を前記記憶手段に登録する位置情報登録ステップと、前記位置情報を送信したユーザ端末を前記特典情報発行端末に誘導するユーザ端末誘導ステップと、前記店舗端末から前記購入情報を受信する購入情報受信ステップと、前記購入情報受信ステップで受信した購入情報を、当該購入情報に係る前記ユーザ端末が送信した位置情報と対応づけて前記記憶手段に登録する購入情報登録ステップとを含む処理をコンピュータに実行させるためのプログラムである。
【００３５】
このような構成であれば、コンピュータによってプログラムが読み取られ、読み取られたプログラムに従ってコンピュータが処理を実行すると、発明１乃至５の広告効果測定システムにおける広告効果測定端末と同等の作用が得られる。
【００３６】
〔発明８〕  一方、上記目的を達成するために、発明８の広告効果測定方法は、広告媒体の広告効果を測定する広告効果測定端末と、商品又はサービスに関する特典情報を発行する特典情報発行端末と、ユーザの利用に供するユーザ端末と、前記商品又は前記サービスを提供する店舗の利用に供する店舗端末とを通信可能に接続し、所定の場所に設置された前記広告媒体の広告効果を測定する広告効果測定方法であって、前記ユーザ端末に対しては、当該広告媒体の設置位置に関する位置情報及び前記広告効果測定端末へのアクセス情報を含む特典誘導情報が付された前記広告媒体から当該特典誘導情報を取得する特典誘導情報取得ステップと、前記特典誘導情報取得ステップで取得した特典誘導情報に含まれる前記アクセス情報に基づいて、当該特典誘導情報に含まれる前記位置情報を前記広告効果測定端末に送信する位置情報送信ステップとを含み、前記広告効果測定端末に対しては、前記ユーザ端末から前記位置情報を受信する位置情報受信ステップと、前記位置情報受信ステップで受信した位置情報を前記記憶手段に登録する位置情報登録ステップと、前記位置情報を送信したユーザ端末を前記特典情報発行端末に誘導するユーザ端末誘導ステップとを含み、前記特典情報発行端末に対しては、前記ユーザ端末誘導ステップで誘導されたユーザ端末が送信した位置情報に対応する前記特典情報を当該ユーザ端末に送信する特典情報送信ステップを含み、前記ユーザ端末に対しては、さらに、前記特典情報発行端末から前記特典情報を受信する特典情報受信ステップを含み、前記店舗端末に対しては、前記ユーザ端末が前記特典情報受信ステップで受信した特典情報を取得する特典情報取得ステップと、前記特典情報取得ステップで取得した特典情報に基づいて、前記商品又は前記サービスを購入したことを示す購入情報を前記広告効果測定端末に送信する購入情報送信ステップとを含み、前記広告効果測定端末に対しては、さらに、前記店舗端末から前記購入情報を受信する購入情報受信ステップと、前記購入情報受信ステップで受信した購入情報を、当該購入情報に係る前記ユーザ端末が送信した位置情報と対応づけて前記記憶手段に登録する購入情報登録ステップとを含む。
【発明の効果】
【００３７】
以上説明したように、発明１の広告効果測定システム、発明６の広告効果測定端末、発明７の広告効果測定端末用プログラム、又は発明８の広告効果測定方法によれば、ユーザ端末では、広告媒体から特典誘導情報を取得すれば、商品又はサービスに関する特典情報が得られ、ユーザは、その特典情報を商品又はサービスの購入に利用することができるので、購買意欲がさほど高くないユーザであっても、特典情報により購買意欲が刺激され、商品又はサービスを購入することが期待できる。そして、こうしたユーザの購入をもって、購入情報と位置情報が対応づけられて記憶手段に登録されるので、購買意欲の低いユーザを対象とする広告媒体の広告効果を測定することができる。また、ユーザに対し、商品又はサービスを請求するという行動を要求せず、特典情報を与えるだけなので、潜在ニーズを持つユーザであっても、後日、ニーズが顕在化したときに、特典情報により購買意欲が刺激され、商品又はサービスを購入することが期待できる。そして、こうしたユーザの購入をもって、購入情報と位置情報が対応づけられて記憶手段に登録されるので、潜在ニーズを持つユーザを対象とする広告媒体の広告効果を測定することができる。
【００３８】
さらに、発明２の広告効果測定システムによれば、特典情報発行端末では、位置情報ごとに特典情報提供ページが生成され、広告効果測定端末では、位置情報に対応する特典情報提供ページにユーザ端末が誘導されるので、特典情報発行端末において、位置情報と特典情報を対応づけることができる。
【００３９】
さらに、発明３の広告効果測定システムによれば、所定エリアにおいてどの広告媒体がどの程度参照されたかを把握することができるので、例えば、所定エリアに居住するユーザ又は所定エリアに訪れるユーザに関心の高い広告媒体を決定することができる。
【００４０】
さらに、発明４の広告効果測定システムによれば、同一のユーザが参照した複数の広告媒体についてその位置関係を分析することができるので、ユーザの行動範囲を把握することができる。したがって、例えば、ユーザの行動範囲に、そのユーザに関心の高い広告媒体を集中的に設置して広告効果を高めることができる。
【００４１】
さらに、発明５の広告効果測定システムによれば、同一のユーザが参照した複数の広告媒体についてその広告内容の関係を分析することができるので、特定のユーザに関心の高い広告内容を把握することができる。したがって、例えば、特定のユーザに関心の高い広告媒体を近い位置に設置して広告効果を高めることができる。
【図面の簡単な説明】
【００４２】
【図１】本発明を適用するネットワークシステムの構成を示すブロック図である。
【図２】広告効果測定サーバ１００のハードウェア構成を示す図である。
【図３】アクセスログ登録テーブル４００のデータ構造を示す図である。
【図４】広告媒体情報登録テーブル４２０のデータ構造を示す図である。
【図５】携帯端末２００の機能ブロック図である。
【図６】携帯端末２００、広告効果測定サーバ１００、クーポン発行サーバ１２０及び店舗端末１４０の動作を示すシーケンスフローである。
【図７】ユーザの操作手順を示す図である。
【図８】アクセスログ登録テーブル４００のデータ構造を示す図である。
【発明を実施するための形態】
【００４３】
以下、本発明の実施の形態を説明する。図１乃至図７は、本実施の形態を示す図である。
【００４４】
まず、本発明を適用するネットワークシステムの構成を説明する。
図１は、本発明を適用するネットワークシステムの構成を示すブロック図である。
【００４５】
インターネット１９９には、図１に示すように、広告媒体１０の広告効果を測定する広告効果測定サーバ１００と、商品又はサービスに関するクーポン情報を発行する複数のクーポン発行サーバ１２０と、商品又はサービスを提供する店舗の利用に供する複数の店舗端末１４０と、携帯端末２００とインターネット１９９との通信を中継する中継局２２０とが接続されている。
【００４６】
中継局２２０には、携帯端末２００と無線通信を行う複数の基地局２１０が接続されており、中継局２２０は、携帯端末２００がインターネット１９９に接続するときは、携帯端末２００に代わってインターネット１９９上での一端末となって、基地局２１０を介して受信した携帯端末２００からのデータをインターネット１９９を介して目的の端末に送信するとともに、インターネット１９９上にある目的の端末のデータを基地局２１０を介して携帯端末２００に送信する。
【００４７】
広告媒体１０は、ポスターやチラシ等からなり、屋外等の所定の場所に設置されている。広告媒体１０には、商品、サービス又は店舗等の広告が印刷されている。広告媒体１０には、マトリクス型２次元コード（以下、単に「２次元コード」という。）１２が印刷されたシールを貼付する。２次元コード１２には、広告効果測定サーバ１００へのアクセス情報、及び、広告媒体１０の設置位置を示す位置情報が記録されている。
【００４８】
クーポン発行サーバ１２０は、例えば、商品又はサービスを提供する企業ごとに設けられている。クーポン発行サーバ１２０は、例えば、ＣＰＵ（Central Processing Unit）、ＲＯＭ（Read Only Memory）、ＲＡＭ（Random Access Memory）及びＩ／Ｆ（InterFace）等をバス接続した一般的なコンピュータと同一機能を有して構成されている。クーポン発行サーバ１２０は、自社の商品、サービス又は店舗等を広告するための広告媒体１０を設置する場合は、その広告媒体１０の位置情報を設定すると、設定した位置情報に対応するクーポン情報を提供するためのクーポン情報提供ページを自動的に生成する処理（特典情報提供ページ生成手段）を実行する。クーポン情報提供ページのアドレス情報は、広告効果測定サーバ１００に送信され、広告効果測定サーバ１００が該当のクーポン情報提供ページに携帯端末２００をリダイレクトするのに用いられる。
【００４９】
店舗端末１４０は、店舗ごとに設けられ、各店舗に設置されている。店舗端末１４０は、例えば、ＣＰＵ、ＲＯＭ、ＲＡＭ及びＩ／Ｆ等をバス接続した一般的なコンピュータと同一機能を有して構成されている。
【００５０】
次に、広告効果測定サーバ１００の構成を説明する。
図２は、広告効果測定サーバ１００のハードウェア構成を示す図である。
【００５１】
広告効果測定サーバ１００は、図２に示すように、制御プログラムに基づいて演算及びシステム全体を制御するＣＰＵ３０と、所定領域に予めＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互に且つデータ授受可能に接続されている。
【００５２】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９に接続するための信号線とが接続されている。
【００５３】
次に、記憶装置４２のデータ構造を説明する。
図３は、アクセスログ登録テーブル４００のデータ構造を示す図である。
【００５４】
記憶装置４２は、図３に示すように、携帯端末２００が広告効果測定サーバ１００にアクセスしたログを登録するアクセスログ登録テーブル４００を記憶している。
【００５５】
アクセスログ登録テーブル４００には、アクセスごとに１つのレコードが登録されている。各レコードは、レコードを一意に特定するためのＩＤを登録するフィールド４０２と、携帯端末２００が２次元コード１２を読み取った広告媒体１０の位置情報を登録するフィールド４０４と、携帯端末２００が広告効果測定サーバ１００にアクセスした時刻を示す時刻情報を登録するフィールド４０６と、広告媒体１０の２次元コード１２により得られるクーポン情報を利用して商品又はサービスを購入したか否かを登録するフィールド４０８とを含んで構成されている。
【００５６】
図３の例では、第１段目のレコードには、ＩＤとして「0001」が、位置情報として「139.777475,35.668017」が、時刻情報として「10/Jun/2014:13:55:36」が、購入の有無として「1」が登録されている。これは、携帯端末２００が、座標「139.777475,35.668017」で示す位置に設置された広告媒体１０から２次元コード１２を読み取り、広告効果測定サーバ１００にアクセスし、その時刻が「10/Jun/2014:13:55:36」であること、その後、携帯端末２００のユーザが、２次元コード１２により得られるクーポン情報を利用して商品又はサービスを購入したことを示している。
【００５７】
図４は、広告媒体情報登録テーブル４２０のデータ構造を示す図である。
記憶装置４２は、図４に示すように、広告媒体１０に関する情報を登録する広告媒体情報登録テーブル４２０を記憶している。
【００５８】
広告媒体情報登録テーブル４２０には、広告媒体１０ごとに１つのレコードが登録されている。各レコードは、広告媒体１０を一意に特定するための広告媒体ＩＤを登録するフィールド４２２と、広告媒体１０の設置位置を示す位置情報を登録するフィールド４２４と、広告媒体１０で広告する商品又はサービスのカテゴリを識別するためのカテゴリＩＤを登録するフィールド４２６と、広告効果測定サーバ１００が該当のクーポン情報提供ページに携帯端末２００をリダイレクトするためのリダイレクト先のアドレスを登録するフィールド４２８とを含んで構成されている。
【００５９】
図４の例では、第１段目のレコードには、広告媒体ＩＤとして「0001」が、位置情報として「139.777475,35.668017」が、カテゴリＩＤとして「0001」が、リダイレクト先のアドレスとして「http://aa.b1.com/c1/index.html」が登録されている。これは、広告媒体ＩＤ「0001」により特定される広告媒体１０が、座標「139.777475,35.668017」で示す位置に設置されていること、その広告媒体１０で広告する商品又はサービスのカテゴリが「0001」であること、アドレス「http://aa.b1.com/c1/index.html」で示すクーポン情報提供ページに広告効果測定サーバ１００が携帯端末２００をリダイレクトすることを示している。
【００６０】
次に、携帯端末２００の構成を説明する。
図５は、携帯端末２００の機能ブロック図である。
【００６１】
携帯端末２００は、図５に示すように、タッチパネル５１、通信部５２、撮影部５４、記憶部５５、出力部５６及び制御部５７を有して構成されている。
【００６２】
携帯端末２００は、正面及び背面を含むキャビネットを有して構成されている。キャビネットの正面には、タッチパネル５１が設けられている。タッチパネル５１は、画像を表示する表示部５８と、表示部５８に重ねられる検出部５９とを有して構成されている。
【００６３】
表示部５８は、液晶パネルと、液晶パネルを照明するパネルバックライトとを有して構成されている。液晶パネルは、画像を表示するための表示面を有し、表示面が外部に現れる。表示面の上に検出部５９が設けられている。なお、液晶パネルに代えて、有機ＥＬ（Electro Luminescence）パネルその他の表示素子を用いることもできる。
【００６４】
検出部５９は、タッチセンサ等からなり、透明なシート状に形成される。検出部５９を透して表示面を見ることができる。検出部５９は、マトリクス状に設けられた第１透明電極、第２透明電極及びカバーを有して構成されている。検出部５９は、第１透明電極と第２透明電極との間の静電容量の変化を検出することにより、ユーザが触れた表示面上の位置（以下、「入力位置」という。）を検出し、その入力位置に応じた位置信号を制御部５７に出力する。なお、検出部５９は、静電容量式に限らず、超音波式、感圧式、抵抗膜式又は光検知式等を用いることもできる。
【００６５】
キャビネットの背面には、撮影部５４のレンズ窓（不図示）が設けられている。レンズ窓から被写体の画像が撮影部５４に取り込まれる。
【００６６】
表示部５８は、制御部５７の制御に従って、ユーザの操作に利用されるＧＵＩ（Graphical User Interface）等を表示する。検出部５９は、入力位置を示す座標情報を制御部５７に出力する。テキストを入力する場合は、例えば、テキストボックス等をタップすると、キーボード画像（ＧＵＩ）が表示部５８に表示され、キーボード画像に配列された文字をタップ等することによりその文字を入力することができる。その他、撮影部５４で撮影された撮影画像に基づいて文字認識処理を行ったり、マイクで入力した音声に基づいて音声認識処理を行ったりすることによりテキストを入力することもできる。
【００６７】
通信部５２は、携帯電話機において使用される無線通信の規格に従ってデータ通信を行い、インターネット１９９を介して、サーバ等に対して情報の送信を要求する。そして、通信部５２は、サーバ等から送信されてくる情報を受信し、制御部５７に出力する。
【００６８】
撮影部５４は、ＣＣＤ（Charge Coupled Device）センサやＣＭＯＳ（Complementary Metal Oxide Semiconductor）センサ等の撮像素子を有して構成され、ユーザのシャッター操作に従って写真を撮影する。そして、撮影部５４が写真を撮影すると、制御部５７は、撮影された撮影画像を記憶部５５に記憶する。
【００６９】
記憶部５５は、不揮発性の半導体メモリ（例えば、ＥＥＰＲＯＭ（Electronically Erasable and Programmable Read Only Memory））を有して構成されている。記憶部５５は、制御部５７が実行するためのプログラム（アプリケーションソフト）、撮影部５４で撮影された撮影画像を記憶する。
【００７０】
制御部５７は、ＣＰＵ、ＲＯＭ、ＲＡＭ等をバス接続して構成されている。
次に、本実施の形態の動作を説明する。
【００７１】
図６は、携帯端末２００、広告効果測定サーバ１００、クーポン発行サーバ１２０及び店舗端末１４０の動作を示すシーケンスフローである。
【００７２】
図７は、ユーザの操作手順を示す図である。
ユーザは、屋外等に設置されている広告媒体１０を見て、商品又はサービスに関心を抱いた場合、図６及び図７に示すように、携帯端末２００において、撮影部５４により広告媒体１０から２次元コード１２を読み取る。
【００７３】
携帯端末２００では、撮影部５４により２次元コード１２が読み取られると（ステップＳ１００）、読み取られた２次元コード１２に含まれるアクセス情報に基づいて、２次元コード１２に含まれる位置情報が広告効果測定サーバ１００に送信される（ステップＳ１０２）。
【００７４】
広告効果測定サーバ１００では、携帯端末２００から位置情報を受信すると（ステップＳ１０４）、受信した位置情報及び時刻情報がアクセスログ登録テーブル４００に登録される（ステップＳ１０６）。そして、広告媒体情報登録テーブル４２０を参照し、携帯端末２００が、位置情報に対応するクーポン情報提供ページにリダイレクトされる（ステップＳ１０８）。
【００７５】
クーポン発行サーバ１２０では、クーポン情報提供ページにアクセスした携帯端末２００に対し、位置情報に対応するクーポン情報が送信される（ステップＳ１１０）。
【００７６】
携帯端末２００では、クーポン発行サーバ１２０からクーポン情報を受信すると（ステップＳ１１２）、受信したクーポン情報を商品又はサービスの購入に利用することができる。
【００７７】
ユーザは、クーポン情報を利用できる店舗に赴いた場合に、例えば、携帯端末２００において表示部５８にクーポン情報を表示し、店舗に提示することでクーポン情報を利用する。店舗では、店員が店舗端末１４０により携帯端末２００からクーポン情報を読み取る。
【００７８】
店舗端末１４０では、クーポン情報が読み取られると（ステップＳ１１４）、商品又はサービスの価格を値引き等する一方、読み取られたクーポン情報に基づいて、商品又はサービスを購入したことを示す購入情報が広告効果測定サーバ１００に送信される（ステップＳ１１６）。
【００７９】
広告効果測定サーバ１００では、店舗端末１４０から購入情報を受信すると（ステップＳ１１８）、受信した購入情報が、その購入情報に係る携帯端末２００が送信した位置情報及び時刻情報と対応づけられてアクセスログ登録テーブル４００に登録される（ステップＳ１２０）。具体的には、該当の位置情報及び時刻情報が登録されたレコードにおいてフィールド４０８に「１」が登録される。この結果、アクセスログ登録テーブル４００において購入情報と位置情報の対応関係を参照すれば、どの設置位置の広告媒体１０がどの程度の購入につながったかという広告媒体１０の広告効果を把握することができる。
【００８０】
このようにして、本実施の形態では、携帯端末２００は、広告媒体１０の設置位置を示す位置情報及び広告効果測定サーバ１００へのアクセス情報を含む２次元コード１２が付された広告媒体１０から２次元コード１２を読み取り、読み取った２次元コード１２に含まれるアクセス情報に基づいて、２次元コード１２に含まれる位置情報を広告効果測定サーバ１００に送信し、クーポン発行サーバ１２０からクーポン情報を受信し、店舗端末１４０は、携帯端末２００が受信したクーポン情報を読み取り、読み取ったクーポン情報に基づいて、商品又はサービスを購入したことを示す購入情報を広告効果測定サーバ１００に送信し、広告効果測定サーバ１００は、位置情報を受信し、受信した位置情報をアクセスログ登録テーブル４００に登録し、携帯端末２００をクーポン発行サーバ１２０にリダイレクトし、購入情報を受信し、受信した購入情報を、購入情報に係る携帯端末２００が送信した位置情報と対応づけてアクセスログ登録テーブル４００に登録し、クーポン発行サーバ１２０は、携帯端末２００が送信した位置情報に対応するクーポン情報を携帯端末２００に送信する。
【００８１】
これにより、携帯端末２００では、広告媒体１０から２次元コード１２を読み取れば、商品又はサービスに関するクーポン情報が得られ、ユーザは、そのクーポン情報を商品又はサービスの購入に利用することができるので、購買意欲がさほど高くないユーザであっても、クーポン情報により購買意欲が刺激され、商品又はサービスを購入することが期待できる。そして、こうしたユーザの購入をもって、購入情報と位置情報が対応づけられてアクセスログ登録テーブル４００に登録されるので、購買意欲の低いユーザを対象とする広告媒体１０の広告効果を測定することができる。
【００８２】
また、ユーザに対し、商品又はサービスを請求するという行動を要求せず、クーポン情報を与えるだけなので、潜在ニーズを持つユーザであっても、後日、ニーズが顕在化したときに、クーポン情報により購買意欲が刺激され、商品又はサービスを購入することが期待できる。そして、こうしたユーザの購入をもって、購入情報と位置情報が対応づけられてアクセスログ登録テーブル４００に登録されるので、潜在ニーズを持つユーザを対象とする広告媒体１０の広告効果を測定することができる。
【００８３】
さらに、ユーザに対しＩＤ及びパスワード等の入力を求めず、携帯端末２００で２次元コード１２を読み取るだけでよいので、ユーザが操作の面倒さ及び個人情報の提供を嫌がって利用を控えてしまう可能性を低減することができる。
【００８４】
さらに、広告媒体１０の設置位置を示す位置情報を２次元コード１２に含めているので、ＧＰＳ（Global Positioning System）機能等を有しない携帯端末２００や、位置情報の発信を禁止している携帯端末２００であっても、位置情報を取得することができる。
【００８５】
さらに、クーポン発行サーバ１２０に携帯端末２００をリダイレクトしクーポン情報を発行する構成となっているので、商品又はサービスを提供する企業は、広告媒体１０ごとに、その内容に応じたクーポン情報を比較的自由に設定することができる。
【００８６】
さらに、本実施の形態では、クーポン発行サーバ１２０は、位置情報ごとに、位置情報に対応するクーポン情報を提供するためのクーポン情報提供ページを生成しておき、クーポン情報提供ページにアクセスした携帯端末２００に対し、位置情報に対応するクーポン情報を送信する。
【００８７】
これにより、クーポン発行サーバ１２０では、位置情報ごとにクーポン情報提供ページが生成され、広告効果測定サーバ１００では、位置情報に対応するクーポン情報提供ページに携帯端末２００がリダイレクトされるので、クーポン発行サーバ１２０において、位置情報とクーポン情報を対応づけることができる。
【００８８】
本実施の形態において、クーポン情報は、発明１、２又は８の特典情報に対応し、２次元コード１２は、発明１又は８の特典誘導情報に対応し、クーポン情報提供ページは、発明２の特典情報提供ページに対応し、広告効果測定サーバ１００は、発明１、６乃至８の広告効果測定端末に対応している。また、クーポン発行サーバ１２０は、発明１、２、７又は８の特典情報発行端末に対応し、携帯端末２００は、発明１、２、７又は８のユーザ端末に対応し、アクセスログ登録テーブル４００は、発明１、７又は８の記憶手段に対応している。
【００８９】
また、本実施の形態において、ステップＳ１００は、発明１の特典誘導情報取得手段、又は発明８の特典誘導情報取得ステップに対応し、ステップＳ１０２は、発明１の位置情報送信手段、又は発明８の位置情報送信ステップに対応し、ステップＳ１０４は、発明１の位置情報受信手段、又は発明７若しくは８の位置情報受信ステップに対応している。また、ステップＳ１０６は、発明１の位置情報登録手段、又は発明７若しくは８の位置情報登録ステップに対応し、ステップＳ１０８は、発明１若しくは２のユーザ端末誘導手段、又は発明７若しくは８のユーザ端末誘導ステップに対応している。
【００９０】
また、本実施の形態において、ステップＳ１１０は、発明１若しくは２の特典情報送信手段、又は発明８の特典情報送信ステップに対応し、ステップＳ１１２は、発明１の特典情報受信手段、又は発明８の特典情報受信ステップに対応し、ステップＳ１１４は、発明１の特典情報取得手段、又は発明８の特典情報取得ステップに対応している。また、ステップＳ１１６は、発明１の購入情報送信手段、又は発明８の購入情報送信ステップに対応し、ステップＳ１１８は、発明１の購入情報受信手段、又は発明７若しくは８の購入情報受信ステップに対応し、ステップＳ１２０は、発明１の購入情報登録手段、又は発明７若しくは８の購入情報登録ステップに対応している。
【００９１】
なお、上記実施の形態において、広告効果測定サーバ１００は、位置情報、時刻情報及び購入情報を対応づけてアクセスログ登録テーブル４００に登録するだけの構成としたが、これに限らず、次の第１乃至第３の構成を採用することもできる。
【００９２】
まず、第１の構成を説明する。
広告効果測定サーバ１００は、アクセスログ登録テーブル４００に基づいて、所定エリア（例えば、都道府県単位のエリア、市区町村単位のエリア又は郵便番号に対応するエリア）に設置されている複数の広告媒体１０について、広告媒体１０ごとに、携帯端末２００が広告効果測定サーバ１００にアクセスした回数を集計する（アクセス回数集計手段）。
【００９３】
これにより、所定エリアにおいてどの広告媒体１０がどの程度参照されたかを把握することができるので、例えば、所定エリアに居住するユーザ又は所定エリアに訪れるユーザに関心の高い広告媒体１０を決定することができる。
【００９４】
次に、第２の構成を説明する。
図８は、アクセスログ登録テーブル４００のデータ構造を示す図である。
【００９５】
アクセスログ登録テーブル４００には、アクセスごとに１つのレコードが登録されている。各レコードは、図８に示すように、レコードを一意に特定するためのＩＤを登録するフィールド４０２と、携帯端末２００を識別するための端末ＩＤを登録するフィールド４１０と、携帯端末２００が２次元コード１２を読み取った広告媒体１０の位置情報を登録するフィールド４０４と、携帯端末２００が広告効果測定サーバ１００にアクセスした時刻を示す時刻情報を登録するフィールド４０６と、広告媒体１０の２次元コード１２により得られるクーポン情報を利用して商品又はサービスを購入したか否かを登録するフィールド４０８とを含んで構成されている。
【００９６】
広告効果測定サーバ１００は、携帯端末２００から位置情報を受信すると、携帯端末２００の端末ＩＤを取得し、受信した位置情報、取得した端末ＩＤ及び時刻情報をアクセスログ登録テーブル４００に登録する。そして、広告効果測定サーバ１００は、分析要求等を入力したときは、ある端末ＩＤ（例えば「abcdefg1」）により特定される携帯端末２００が送信した位置情報と、その携帯端末２００が送信した他の位置情報をアクセスログ登録テーブル４００から検索し（位置情報検索手段）、索出した位置情報に基づいて、同一のユーザが参照した広告媒体１０の位置関係を分析する（位置関係分析手段）。この場合、より具体的には、特定の広告媒体１０の位置情報と対応するすべての端末ＩＤについて上記検索及び上記分析を行ってもよい。
【００９７】
これにより、同一のユーザが参照した複数の広告媒体１０についてその位置関係を分析することができるので、ユーザの行動範囲を把握することができる。したがって、例えば、ユーザの行動範囲に、そのユーザに関心の高い広告媒体１０を集中的に設置して広告効果を高めることができる。
【００９８】
なお、上記第２の構成において、同一のユーザが参照した１又は複数の広告媒体１０についてその時刻関係を分析する構成とすることもできる。この構成によれば、ユーザの行動時間帯を把握することができる。したがって、例えば、ユーザの行動時間帯に、そのユーザに関心の高い広告媒体１０を集中的に設置して広告効果を高めることができる。
【００９９】
次に、第３の構成を説明する。
上記第２の構成と同様に、図８のアクセスログ登録テーブル４００を用いる。
【０１００】
広告効果測定サーバ１００は、分析要求等を入力したときは、ある端末ＩＤ（例えば「abcdefg1」）により特定される携帯端末２００が送信した位置情報と、その携帯端末２００が送信した他の位置情報をアクセスログ登録テーブル４００から検索し（位置情報検索手段）、索出した位置情報、及び、その位置情報に対応する広告媒体情報登録テーブル４２０のカテゴリＩＤに基づいて、ユーザが一の位置で参照した広告媒体１０の広告内容と、ユーザが他の位置で参照した広告媒体１０の広告内容との関係を分析する（広告内容関係分析手段）。
【０１０１】
これにより、同一のユーザが参照した複数の広告媒体１０についてその広告内容の関係を分析することができるので、特定のユーザに関心の高い広告内容を把握することができる。したがって、例えば、特定のユーザに関心の高い広告媒体１０を近い位置に設置して広告効果を高めることができる。
【０１０２】
また、上記実施の形態及びその変形例においては、広告効果測定サーバ１００及びクーポン発行サーバ１２０をそれぞれ設けたが、これに限らず、これらを１つのサーバとして構成することもできる。また、広告効果測定サーバ１００及び店舗端末１４０を１つのサーバとして構成することもできるし、広告効果測定サーバ１００、クーポン発行サーバ１２０及び店舗端末１４０を１つのサーバとして構成することもできる。
【０１０３】
また、上記実施の形態及びその変形例においては、２次元コード１２が印刷されたシールを広告媒体１０に貼付したが、これに限らず、２次元コード１２を広告媒体１０に直接印刷してもよい。また、アクセス情報及び位置情報を記録したｉＢｅａｃｏｎモジュールを広告媒体１０の裏面等に貼付してもよい。この場合、携帯端末２００は、ｉＢｅａｃｏｎモジュールから無線通信によりアクセス情報及び位置情報を取得する。ｉＢｅａｃｏｎは、通信距離が長い、位置を高精度に測定できる、デバイスを認識可能、履歴が収集可能、Ａｎｄｒｏｉｄ／ｉＯＳが利用できる、電池が長持ち（５年から１０年）という特徴があり、将来の活用が期待される。
【符号の説明】
【０１０４】
１０…広告媒体、  １２…２次元コード、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ５１…タッチパネル、  ５２…通信部、  ５４…撮影部、  ５５…記憶部、  ５６…出力部、  ５７…制御部、  ５８…表示部、  ５９…検出部、  １００…広告効果測定サーバ、  １２０…クーポン発行サーバ、  １４０…店舗端末、  １９９…インターネット、  ２００…携帯端末、  ２１０…基地局、  ２２０…中継局、  ４００…アクセスログ登録テーブル、  ４２０…広告媒体情報登録テーブル
【要約】
【課題】  購買意欲の低いユーザや、潜在ニーズを持つユーザを対象とする広告媒体の広告効果を測定するのに好適な広告効果測定システムを提供する。
【解決手段】  携帯端末は、広告媒体から２次元コードを読み取り、２次元コードに含まれるアクセス情報に基づいて、２次元コードに含まれる位置情報を広告効果測定サーバに送信する。広告効果測定サーバは、位置情報を受信し、受信した位置情報を登録し、クーポン発行サーバに携帯端末をリダイレクトする。クーポン発行サーバは、クーポン情報を携帯端末に送信する。店舗端末は、携帯端末に表示されたクーポン情報を読み取り、読み取ったクーポン情報に基づいて、商品又はサービスを購入したことを示す購入情報を広告効果測定サーバに送信する。広告効果測定サーバは、購入情報を受信し、受信した購入情報を位置情報と対応づけて登録する。
【選択図】  図６【図１】
0005607274.tif 000002
【図２】
0005607274.tif 000003
【図３】
0005607274.tif 000004
【図４】
0005607274.tif 000005
【図５】
0005607274.tif 000006
【図６】
0005607274.tif 000007
【図７】
0005607274.tif 000008
【図８】
0005607274.tif 000009